(57)【要約】【課題】簡単な構成でありながら遮光物体の影に相当する形状をディスプレイ上に適切に再現表示することができるディスプレイ装置を提供する。【解決手段】受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、受光センサからの出力と発光ダイオードの点灯及び／または消灯との間のタイミングとを滑らかにするための円滑化手段を備えた。【選択図】      図３
2004295057.tif 000002
【特許請求の範囲】
【請求項１】
受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、
受光センサからの出力と発光ダイオードの点灯及び／または消灯との間のタイミングとを滑らかにするための円滑化手段を備えたことを特徴とするディスプレイ装置。
【請求項２】
請求項１記載のディスプレイ装置を天板として備えたテーブル。
【発明の詳細な説明】
【０００１】
【発明の属する技術分野】
本発明は、ディスプレイ装置に関し、特に、外部光に対して物体が形成する影に相当する部分を点灯させることにより視覚的な効果を奏するディスプレイ装置及びそのディスプレイ装置を備えたテーブルに関する。
【０００２】
【従来の技術】
外部光に対して物体が形成する影に相当する部分を点灯させることにより視覚的な効果を奏するディスプレイ装置としては、本願発明の発明者が先に提案した先行技術文献１記載のディスプレイ装置が知られている。
【０００３】
この装置は、平面壁面に設けられた装置であって、受光面を持つ受光センサと、該受光面近傍に設けられた発光ダイオードと、受光センサからの出力に応じて発光ダイオードを発光駆動する駆動回路と、から成るユニットを複数備えており、各ユニットの受光面と発光ダイオードとを２次元平面上に多数配列することによりディスプレイ装置が構成されている。そして、外部に設けられた光源からの光が、受光センサに入射しないで遮光されている状態で発光ダイオードが点灯するよう構成されている。
【０００４】
このような構成によって、光源とディスプレイ装置との間に介在する遮光物体の影に相当する形状をディスプレイ上に再現表示することができる。特に、遮光物体の動作やその材質に関係なく、即座に影に相当する形状が表示されるという視覚的効果を奏するので、広告宣伝などに効果的である。
【先行技術文献１】
実開平４−７７１９０号公報
【０００５】
【発明が解決しようとする課題】
しかしながら、先行技術文献１に記載されたディスプレイ装置では、受光センサの出力信号がダイレクトに発光ダイオードに影響されるよう接続されているため、遮光物体の動作に対して表示の変化が敏感すぎるという問題があった。表示変化が敏感すぎると、観察者にとっては煩雑すぎて視覚的な効果を減退させてしまう。
【０００６】
特に、このディスプレイ装置を、平面壁面に設けずにレストランなどのテーブルの天板に用いた場合、着席者の影に相当する形状がテーブル上に発光表示されるので、視覚的に楽しい空間を提供することが可能となる。しかしながら、着席者の動作に対して表示変化が敏感すぎると、結果として楽しさを提供することができない。
【０００７】
本発明はこのような状況に鑑みてなされたものであって、その目的は、簡単な構成でありながら、遮光物体の影に相当する形状をディスプレイ上に適切に再現表示することができるディスプレイ装置を提供することである。
【０００８】
【課題を解決するための手段】
上記目的を達成するために、本発明に係る発光装置は、受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、受光センサからの出力と発光ダイオードの点灯及び／または消灯との間のタイミングとを滑らかにするための円滑化手段を備えたことを特徴とする。
【０００９】
【発明の実施の形態】
以下、本発明を実施したディスプレイ装置を、図面を参照しつつ説明する。図１は、本発明の一実施形態のディスプレイ装置を天板として具備するテーブルを表す図である。図中の天板部１にディスプレイ装置２が配置されている。また、図２は、ディスプレイ装置２の正面図である。実施形態のディスプレイ装置２では、２次元平面に縦方向及び横方向に多数の受光センサとその近傍に配置された発光ダイオードからなるユニット３が配列されている。受光センサとしては、フォトトランジスタやＣｄｓ等の光電変換センサを使用することが可能である。また発光ダイオードとしては、ＲＧＢ等の所望カラーのものや周知の白色ＬＥＤ等を用いることができる。
【００１０】
図３は、第１の実施形態のディスプレイ装置を構成するフォトトランジスタ１１とその近傍に配置された単色ＬＥＤ１２からなるユニットの駆動回路の一例を表す。図３の駆動回路において、トランジスタ１５のベース電圧はフォトトランジスタ１１と可変抵抗１４で分圧して接続されている。また、トランジスタ１５のエミッタ側には、所定の時定数を持つコンデンサ１３が接続されており、これとは別に抵抗を介してＬＥＤ１２が接続されている。このうち、コンデンサ１３が円滑化手段として動作することとなる。
【００１１】
以上の構成において、フォトトランジスタ１１へ入射する外光が弱くなると、フォトトランジスタ１１のベース電圧が上がり、これと併せてトランジスタ１５のベース電圧も上がるので、トランジスタ１５がスイッチＯＮとなり、ＬＥＤ１２が点灯される。一方、フォトトランジスタ１１へ入射する外光が強くなると、トランジスタ１６のベース電圧が下がるので、トランジスタ１５がスイッチがＯＦＦとなり、ＬＥＤ１２が消灯される。このときトランジスタ１５がＯＦＦとなった瞬間には、コンデンサ１３に充電されていた電荷が放電されるので、コンデンサ１３の時定数に応じてトランジスタ１５のベース電圧を一定時間だけ上げ、トランジスタ１５のスイッチを一定時間ＯＮさせるので、ＬＥＤ１２へ減衰電流が流れる。したがって、適切な時定数のコンデンサ１３を選択することにより、ＬＥＤ１２の消灯に余韻を残すことが可能となるのである。このように余韻を残すように消灯することができれば、観察者に対して煩雑な印象を与えることなく、ディスプレイ装置上で遮光物体の影の形状に対応する部分を発光させることができる。
【００１２】
図４は、第２の実施形態のディスプレイ装置を構成するＣｄｓ２１とその近傍に配置された単色ＬＥＤ２２からなるユニットの駆動回路の一例を表す。図４の駆動回路において、トランジスタ２５のベース電圧はＣｄｓ２１と可変抵抗２４で分圧して接続されている。また、トランジスタ２５のエミッタ側には、所定の時定数を持つコンデンサ２３が接続されており、これとは別に抵抗２６を介してＬＥＤ２２が接続されている。このうち、コンデンサ２３が円滑化手段として動作することとなる。
【００１３】
以上の構成において、Ｃｄｓ２１へ入射する外光が弱くなると、Ｃｄｓ２１の抵抗値が上がるため、トランジスタ２５のベース電圧が上がり、スイッチＯＮとなり、ＬＥＤ２２が点灯される。一方、Ｃｄｓ２１へ入射する外光が強くなると、トランジスタ２６のベース電圧が下がるので、スイッチがＯＦＦとなり、ＬＥＤ２２が消灯される。このときトランジスタ２５がＯＦＦとなった瞬間には、コンデンサ２３に充電されていた電荷が放電されるので、コンデンサ２３の時定数に応じてＬＥＤ１２へ減衰電流が流れる。したがって、適切な時定数のコンデンサ２３を選択することにより、ＬＥＤ２２の消灯に余韻を残すことが可能となるのである。このように余韻を残すように消灯することができれば、観察者に対して煩雑な印象を与えることなく、ディスプレイ装置上で遮光物体の影の形状に対応する部分を発光させることができる。
【００１４】
なお、上記第１及び第２の実施形態において、ＬＥＤ２２が点灯するレベル調整は、可変抵抗１４あるいは２４を変化させることにより可能である。また、ＬＥＤ２２の発光強度はＬＥＤと直列に接続された抵抗を適宜選択することにより調整可能である。
【００１５】
上記実施形態では、円滑化手段として回路中に所定の時定数を有するコンデンサを用いた例を示したが、本発明はこれに限定されるものではない。例えば、フォトトランジスタやＣｄｓからの出力と発光ダイオードの駆動を完全に回路的に独立させた上で、フォトトランジスタやＣｄＳの出力信号を配列変数としてメモリにストアし、対応する発光ダイオードを配列変数に基づいてソフトウェア制御するといった方法によっても本発明の構成を達成することが可能である。
【００１６】
【発明の効果】
以上、説明したように、本発明によれば、簡単な構成でありながら遮光物体の影に相当する形状をディスプレイ上に適切に再現表示することができるディスプレイ装置を提供することができた。
【図面の簡単な説明】
【図１】本発明を実施した実施形態のテーブルを示す斜視図
【図２】本発明の実施形態のディスプレイ装置を示す正面図
【図３】第１の実施形態のユニットの駆動回路を示す回路図
【図４】第２の実施形態のユニットの駆動回路を示す回路図
【符号の説明】
２：ディスプレイ装置
１１、２１：受光センサ（フォトトランジスタ、ＣｄＳ）
１２、２２：発光ダイオード（ＬＥＤ）
１３、２３：コンデンサ
【図１】
2004295057.tif 000003
【図２】
2004295057.tif 000004
【図３】
2004295057.tif 000005
【図４】
2004295057.tif 000006